(57)【要約】【課題】外面部と内面部とを有する中空とされ、その内面部の下部が内側方向に寄せられることにより下部の幅が上部に比べて広くされた側板を有するキッチンキャビネット用引き出しにおいて、この引き出しの収納空間の有効幅を広くする。【解決手段】一方の側板２２の内面部２２ｂに隣接してペーパーホルダー６０が載置される台座５０が備えられており、かつ、この台座５０は、前記一方の側板２２の内面部２２ｂに対向する側面の下部が、第１傾斜面５１ａと第２傾斜面５１ｂとで構成され、この内面部２２ｂの外形に沿って内側に向けて後退している。そして、台座５０は、前記一方の側板２２の上端に係合するフック部５２を有し、このフック部５２の係合により側板２２に支持されている。【選択図】図７
2010154991.tif 000002
【特許請求の範囲】
【請求項１】
底板と、該底板の左右両端部に立設された左右の側板と、該底板の前端部に立設された前板とを有し、キャビネット本体に前後方向にスライド自在に支持されたキッチンキャビネット用引き出しであって、
前記側板は、外面部と内面部とを有する中空とされ、その内面部の下部が内側方向に寄せられることにより下部の幅が上部に比べて広くされて、その下部内に前記キャビネット本体側のレール部材に係合する引き出し側のレール部材が内蔵されていると共に、
一方の側板の内面部に隣接して物品が載置される台座が備えられており、かつ、
該台座は、前記一方の側板の内面部に対向する側面の下部が、該内面部の外形に沿って内側に向けて後退していることを特徴とするキッチンキャビネット用引き出し。
【請求項２】
前記請求項１に記載のキッチンキャビネット用引き出しにおいて、
前記台座は、前記一方の側板の上端に係合するフック部を有し、該フック部の係合により側板に支持されていることを特徴とするキッチンキャビネット用引き出し。
【請求項３】
前記請求項１または請求項２に記載のキッチンキャビネット用引き出しにおいて、
前記台座は、上面の中央に凹陥部が設けられていると共に、
上面における該凹陥部の周囲が物品載置部とされていることを特徴とするキッチンキャビネット用引き出し。
【請求項４】
前記請求項１から請求項３のいずれか１項に記載のキッチンキャビネット用引き出しにおいて、
前記台座における上面の周辺部に、載置された物品の転倒を防止する転倒防止片が立設されていることを特徴とするキッチンキャビネット用引き出し。
【請求項５】
前記請求項１から請求項４のいずれか１項に記載のキッチンキャビネット用引き出しにおいて、
前記台座に載置される物品は、ロール状のキッチンペーパーを保持するペーパーホルダーであることを特徴とするキッチンキャビネット用引き出し。
【発明の詳細な説明】
【技術分野】
【０００１】
本発明は、キッチンキャビネット用引き出しに関し、台所用家具の技術分野に属する。
【背景技術】
【０００２】
キッチンキャビネットの本体に、前後方向にスライド自在に支持された引き出しでは、例えば、この引き出しを構成する左右一対の側板を、外面部と内面部とを有する中空とし、この中空部の下部に、キャビネット本体側のレール部材に係合する引き出し側のレール部材を内蔵した構成のものがある。その場合、前記レール部材を内蔵するためのスペースを中空部の下部に確保する必要があり、前記特許文献１に記載の引き出しでは、側板の内面部の下部が内側方向に寄せられることにより下部の幅が上部に比べて広くされている。
【０００３】
【特許文献１】特開２００６−２９６７５９号公報
【発明の開示】
【発明が解決しようとする課題】
【０００４】
ところで、前記特許文献１に記載の構成において、引き出し内に側板に近接して物品を収納しようとすると、側板の内面部の下部が内側方向に寄せられているため、物品の下部と側板の内面部の下部とが干渉する。したがって、側板の内面部の下部との干渉を避けて物品を収納することになり、引き出しの収納空間の有効幅が狭くなるという問題が生じる。
【０００５】
そこで、本発明は、外面部と内面部とを有する中空とされ、その内面部の下部が内側方向に寄せられることにより下部の幅が上部に比べて広くされた側板を有するキッチンキャビネット用引き出しにおいて、この引き出しの収納空間の有効幅を広くすることを課題とする。
【課題を解決するための手段】
【０００６】
前記課題を解決するため、本発明は次のように構成したことを特徴とする。
【０００７】
まず、請求項１に記載の発明は、底板と、該底板の左右両端部に立設された左右の側板と、該底板の前端部に立設された前板とを有し、キャビネット本体に前後方向にスライド自在に支持されたキッチンキャビネット用引き出しであって、前記側板は、外面部と内面部とを有する中空とされ、その内面部の下部が内側方向に寄せられることにより下部の幅が上部に比べて広くされて、その下部内に前記キャビネット本体側のレール部材に係合する引き出し側のレール部材が内蔵されていると共に、一方の側板の内面部に隣接して物品が載置される台座が備えられており、かつ、該台座は、前記一方の側板の内面部に対向する側面の下部が、該内面部の外形に沿って内側に向けて後退していることを特徴とする。
【０００８】
次に、請求項２に記載の発明は、前記請求項１に記載のキッチンキャビネット用引き出しにおいて、前記台座は、前記一方の側板の上端に係合するフック部を有し、該フック部の係合により側板に支持されていることを特徴とする。
【０００９】
また、請求項３に記載の発明は、前記請求項１または請求項２に記載のキッチンキャビネット用引き出しにおいて、前記台座は、上面の中央に凹陥部が設けられていると共に、上面における該凹陥部の周囲が物品載置部とされていることを特徴とする。
【００１０】
また、請求項４に記載の発明は、前記請求項１から請求項３のいずれか１項に記載のキッチンキャビネット用引き出しにおいて、前記台座における上面の周辺部に、載置された物品の転倒を防止する転倒防止片が立設されていることを特徴とする。
【００１１】
そして、請求項５に記載の発明は、前記請求項１から請求項４のいずれか１項に記載のキッチンキャビネット用引き出しにおいて、前記台座に載置される物品は、ロール状のキッチンペーパーを保持するペーパーホルダーであることを特徴とする。
【発明の効果】
【００１２】
まず、請求項１に記載の発明によれば、台座は、中空の一方の側板の内面部に対向する側面の下部が、この側板の内面部の外形に沿って内側に向けて後退しているので、下部の幅が上部に比べて広くされた側板の内面部の下部との干渉を避けながら、台座の上部を前記側板の内面部の上部に近接して引き出し内に設置することができる。したがって、この台座を用いることにより、引き出しの収納空間の有効幅を広くすることができる。
【００１３】
次に、請求項２に記載の発明によれば、台座は、一方の側板の上端に係合するフック部を有しているので、例えば、引き出しのスライド時に振動があっても、フック部なしで台座を引き出しの底板上に設置する場合に比べ、台座の設置位置が安定する。
【００１４】
また、請求項３に記載の発明によれば、台座は、上面の中央に凹陥部が設けられていると共に、この凹陥部の周囲が物品載置部とされているので、物品載置部を介して物品を載置しつつ凹陥部に別の物品を収納することができるようになる。
【００１５】
また、請求項４に記載の発明によれば、台座における上面の周辺部に立設された転倒防止片により、載置された物品の転倒が防止される。特に、細長い物品を載置する場合に効果的である。
【００１６】
そして、請求項５に記載の発明によれば、ロール状のキッチンペーパーを保持するペーパーホルダーが、台座を介して引き出しの側板に近接して収納されるようになる。
【発明を実施するための最良の形態】
【００１７】
以下、本発明の実施の形態に係るキッチンキャビネット用引き出しを備えたシステムキッチンについて説明する。
【００１８】
図１に示すように、このシステムキッチン１は、シンク用キャビネット２と調理台用キャビネット３とガスコンロ用キャビネット４とが並設された構成とされており、上方にワークトップ５が載置されている。このワークトップ５は、シンク用キャビネット２に対応してシンク５ａが設けられており、また、ガスコンロ用キャビネット４に対応してガスコンロ５ｂが設けられている。
【００１９】
図２に示すように、シンク用キャビネット２は、上方及び前方に開口する箱状のキャビネット本体１０と、このキャビネット本体１０に前後方向にスライド自在に支持された上下２段の引き出し２０とを備えている（図２には上段のみ図示、図１には２段とも図示）。
【００２０】
本体キャビネット１０は、左右の側板１１，１１と、側板１１，１１間の後部に架設された背板１２と、側板１１，１１間の下部に架設された底板１３とを有している。
【００２１】
図示する引き出し２０は、底板２１と、底板２１の左右両端部に立設された左右の側板２２，２２と、底板２１の前後両端部にそれぞれ立設された前板２３及び背板２４と、両側板２２，２２の上方で前板２３と背板２４との間に架設された左右のバー部材２５，２５とを備えている。
【００２２】
また、キャビネット本体１０の左右の側板１１，１１間の上部前面に、引き出し２０を押し込んだときに前板２３の後面に当接する戸当たり桟１４が架設されている。
【００２３】
また、キャビネット本体１０上に載置されたワークトップ５のシンク５ａの左側の側部とこの側部に対向する左側の側板１１との間に、所定幅の空間Ｓが設けられている。この空間Ｓは、幅が狭く、上下方向に細長い空間であり、上部にワークトップ５の下面を支持する前後方向に延びる補強桟５ｃが位置している。さらに、左右の側板１１，１１間の上部前面つまりシンク５ａの前方かつ戸当たり桟１４の概ね下方に、正面視でシンク５ａを隠す幕板３０が架設されている。
【００２４】
そして、引き出し２０の底板２１上の左側端部近傍には、左側の側板２２に近接して、２つの箱状容器４０，４０と台座５０に載置されたペーパーホルダー６０とが前後方向に一列に収納されている。ここでは詳述しないが、箱状容器４０，４０はバー部材２５に支持され、台座５０は側板２２に支持されている。なお、ペーパーホルダー６０は、ロール状のキッチンペーパーＰを保持するためのもので、高さが高く、前記空間Ｓに収納される。
【００２５】
次に、幕板３０について説明すると、この幕板３０は、例えば鋼板のような金属製の板材を折曲加工することにより一体に形成されたものであり、図２〜４に示すように、この幕板３０は、シンク５ａの前方で左右に延びる面状の垂直部３１と、この垂直部３１の左側の端部からシンク５ａの左側の側部に沿うように後方に延びる垂直面状の後方延設部３２と、この後方延設部３２の後部上端から前記空間Ｓの上部を横断し、キャビネット本体１０の左側の側板１１方向に延びる水平面状の横方向延設部３３とを有している。
【００２６】
また、垂直部３１の右側の端部に若干後方に延びる取付部３４が設けられており、この取付部３４の上下の端部にそれぞれ形成された切り欠き３４ａ，３４ａ（図３参照）を介してビスでキャビネット本体１０の右側の側板１１に取り付けられる。一方、横方向延設部３３の先端に下方に延びる取付部３５が設けられており、この取付部３５に形成された一対の丸穴３５ａ，３５ａ（図３に一方のみ図示）を介してビスＢ，Ｂでキャビネット本体１０の左側の側板１１に取り付けられる。
【００２７】
また、垂直部３１の上端に前方に延びる結合部３６が設けられており、この結合部３６に形成された複数の長穴３６ａ…３６ａ（図３参照）を介してビスＢ…Ｂでキャビネット本体１０の戸当たり桟１４に下方から結合される。一方、横方向延設部３３に複数の丸穴３３ａ…３３ａ（図３参照）が形成されており、横方向延設部３３は、これらの丸穴３３ａ…３３ａを介してビスＢ…Ｂでワークトップ５の下面の補強桟５ｃに結合される。
【００２８】
また、垂直部３１の下端に後方に延びる補強部３７が設けられており、垂直部３１の剛性維持が図られる。さらに、後方延設部３２の後端に右方に延びる補強部３８が設けられており、後方延設部３２の剛性維持が図られる。
【００２９】
以上説明した構成の幕板３０を備えたことにより、横方向延設部３３は、垂直部３１の下端より高い箇所に位置することになる。その結果、図４に示したように、シンク５ａの一方の側部とこの側部に対向する一方の側板１１との間の所定幅の空間Ｓを含む上下方向に細長い空間に対し、引き出し２０に収納されたペーパーホルダー６０のような高さの高い物品の出し入れが可能となる。
【００３０】
そして、垂直部３１と後方延設部３２と横方向延設部３３とで構成される平面視屈曲構造により、例えば、高さの高い物品を収納可能に幕板の一方の側部を切除した構成に比べ、垂直部３１の剛性は良好に維持される。したがって、正面からの荷重を受けても垂直部３１の変形が回避され、特に側板１１，１１間が広い場合に効果的である。なお、垂直部３１ひいては幕板３０の剛性が良好に維持されるため、輸送中においても垂直部３１ないし幕板３０の形状を良好に維持することができる。
【００３１】
次に、引き出し２０内に設置される箱型容器４０と台座５０とこの台座５０に載置される高さの高いペーパーホルダー６０とについて説明する。なお、これらはいずれも合成樹脂製である。
【００３２】
図５に示すように、引き出し２０の側板２２は、外面部２２ａと内面部２２ｂとを有する中空とされ、中空部の下部に、キャビネット本体１０の側板１１に固定されたキャビネット本体側レール部材１０ａに中間レール部材１０ｂを介して係合する引き出し側レール部材２２ｃを内蔵したものである。その場合、側板２２は、引き出し側レール部材２２ｃを内蔵するスペースを中空部の下部に確保するため、内面部２２ｂの下部が内側方向に寄せられることにより下部の幅が上部に比べて広くされている。なお、図面の複雑化を避けるため、これらのレール部材１０ａ，１０ｂ，２２ｃ間に備えられたローラの記載を省略している。
【００３３】
そして、引き出し２０の側板２２の下部に結合された底板２１上には、前記側板２２に近接して箱型容器４０が設置されている。図５、６に示すように、この箱型容器４０は、平面視で略正方形状とされて物品を収納する本体部４１と、この本体部４１の上部に設けられて、引き出し２０の側板２２の上方に架設されたバー部材２５に上方から係合する下方に開いたフック部４２とを有している。
【００３４】
また、本体部４１のフック部４２が設けられた側の側面の下方部分は、側板２２の内側方向に寄せられる内面部２２ｂの外形に沿って内側に向けて後退する上方の第１傾斜部４１ａと下方の第２傾斜部４１ｂとされている。このうち、第１傾斜部４１ａは、側板２２の内面部２２ｂの外形にほぼ沿い、第２傾斜部４１ｂは、側板２２の内面部２２ｂの下部に干渉しないように内側に向けて大きく後退している。
【００３５】
こうすることによりにより、箱型容器４０は、その下部と側板２２の内面部２２ｂの下部との干渉を避けることができ、側板２２に近接して安定して設置されるようになる。このような箱型容器４０は、例えば、食品用ラップフィルムのような立てたときに高さの高い物品を収納するのに用いられる。なお、収納空間を仕切り板により複数の空間に間仕切ってもよい。
【００３６】
図７に示すように、引き出し２０の側板２２の下部に結合された底板２１上には、前記側板２２に近接してペーパーホルダー６０が載置される台座５０が設置されている。図７〜９に示すように、台座５０は、平面視で略正方形状とされた本体部５１と、この本体部５１の上部に設けられて、引き出し２０の側板２２の上端に上方から係合する下方に開いたフック部５２とを有している。
【００３７】
本体部５１のフック部５２が設けられた側の側面は、引き出し２０の側板２２の内面部２２ｂの外形に沿って内側に向けて後退する上方の第１傾斜部５１ａと、側板２２の内面部２２ｂの下部に干渉しないように内側に向けて大きく後退する第２傾斜部５１ｂとされている。
【００３８】
また、本体部５１は、上面の中央に縦断面視で上方ほど直径が大きい円錐台状の凹陥部５１ｃが設けられており、この凹陥部５１ｃの上部直径は、載置するペーパーホルダー６０が凹陥部５１ｃに落ち込まない大きさである（図８、９参照）。これにより、この凹陥部５１ｃの周囲の物品載置部５１ｄに、ペーパーホルダー６０を載置することができるようになる。そして、凹陥部５１ｃは、比較的小さな物品の収納空間Ｓ″を形成する。
【００３９】
また、本体部５１の物品載置部５１ｄの周辺部には、フック部５２が設けられた辺を除く３辺に、載置されたペーパーホルダー６０の転倒を防止する半円状の転倒防止片５１ｅ…５１ｅがそれぞれ立設されている。
【００４０】
図７に示すように、台座５０に載置されるペーパーホルダー６０は、ロール状のキッチンペーパーＰを保持するもので、下方のベースフレーム６１と、上方のトップフレーム６２と、ベース及びトップフレーム６１，６２間に架設された一対のサイドフレーム６３，６３と、ベース及びトップフレーム６１，６２間に挿抜される支柱６４とを有している。
【００４１】
図１０〜１２に示すように、ベースフレーム６１は、平面視で概ね円形状とされて前記台座５０の物品載置部５１ｄに載置されるもので、中心を挟んで対向するように、外側に円弧状に突出する一対の突出部６１ａ，６１ａが設けられている。これらの突出部６１ａ，６１ａを設けたことにより、これらがない場合に比べ、ベースフレーム６１ひいてはペーパーホルダー６０の載置状態は安定する。
【００４２】
また、各突出部６１ａは、台座５０に設けられた一対の転倒防止片５１ｅ，５１ｅあるいは転倒防止片５１ｅとフック部５２とに挟まれるように位置しており、突出部６１ａと転倒防止片５１ｅあるいはフック部５２とが当接することにより、台座５０上でのベースフレーム６１の回転が規制されるようになっている（図１１参照）。したがって、台座５０に載置されたペーパーホルダー６０からキッチンペーパーＰを引き出すときに、このロール状のキッチンペーパーＰを下方で支持するベースフレーム６１の連れ回りが防止され、円滑にキッチンペーパーＰを引き出すことができる。
【００４３】
なお、台座５０に設けられた転倒防止片５１ｅ…５１ｅは、ベースフレーム６１の突出部６１ａ，６１ａとの関係から、ベースフレーム６１ひいてはペーパーホルダー６０を台座５０に対して図１１に示す向きあるいは９０°回転した向きで位置決めさせるガイドの機能も具備している。
【００４４】
また、各突出部６１ａには、横断面略Ｃ字状の前記サイドフレーム６３が一体に設けられている。その場合、一対のサイドフレーム６３，６３同士の対向間隔Ｌは、側方からのロール状のキッチンペーパーＰの取り出しやセットを可能とする間隔である（図１１参照）。なお、一対の突出部６１ａ，６１ａに一対のサイドフレーム６３，６３を設けたことにより、前記対向間隔Ｌを広くすることができるメリットがある。
【００４５】
そして、ベースフレーム６１には、中央に凹部６１ｂが設けられている。この凹部６１ｂの上部は大径のすり鉢状とされており、下部は後述する支柱６４の支持部６４ａの外形に対応して小径の直線状とされている。これは、支柱６４の支持部６４ａの下端をこのベースフレーム６１の凹部６１ｂに挿入するとき、上部のすり鉢状部分で案内し、下部の直線状部分で位置決め支持するためである（図１１、１２参照）。
【００４６】
支柱６４は、ロール状のキッチンペーパーＰの中央の穴に挿入されるもので、下方の細長い支持部６４ａとこの支持部６４ａの上端に設けられた平板状の操作部６４ｂとを有している。支持部６４ａは、ロール状のキッチンペーパーＰの穴に挿入されるもので、横断面が略Ｈ字状とされ、ベースフレーム６１とトップフレーム６２との間に挿抜可能及び矢印ｘ，ｙ方向に回動可能（図１０参照）に備えられている。
【００４７】
ここで、支柱６４とトップフレーム６２との間に設けられたロック構造について説明する。
【００４８】
支柱６４の支持部６４ａの上端に設けられた平面視で概ね円形状の操作部６４ｂの下部には、支持部６４ａを中心にして対向するように外方に突出する一対の円弧状のロック部６４ｂ′，６４ｂ′が形成されている。一方、トップフレーム６２には、支柱６４の操作部６４ｂの上部が回動可能に嵌まり込む凹部６２ａと、この凹部６２ａに連設されて操作部６４ｂの一対のロック部６４ｂ′，６４ｂ′が進入する一対のロック溝部６２ｂ，６２ｂとが形成されている。図例では、支柱６４のロック部６４ｂ′，６４ｂ′は、トップフレーム６２のロック溝部６２ｂ，６２ｂに進入しており、トップフレーム６２に対して支柱６４はロック状態とされている。なお、トップフレーム６２の矢印ａで示す長手方向中央は、平面視で幅が狭くされており、指による操作部６４ｂの回動操作を容易にしている（図１０参照）。
【００４９】
前述したロック状態から、支柱６４の操作部６４ｂを矢印ｘ方向に略４５°回動させると、図１３に示すように、支柱６４の操作部６４ｂに形成されたロック部６４ｂ′，６４ｂ′は、トップフレーム６２のロック溝部６２ｂ，６２ｂから退避する。その結果、トップフレーム６２に対する支柱６４のロック状態が解除され、支柱６４をベース及びトップフレーム６１，６２から上方に抜き取ることができるようになる。そうすると、キッチンペーパーＰのセットや取り出しが可能となる。そして、支柱６４の操作部６４ｂを矢印ｙ方向に略４５°回動させると、図１０に示したように、支柱６４のロック部６４ｂ′，６４ｂ′はトップフレーム６２のロック溝部６２ｂ，６２ｂに進入し、トップフレーム６２に対して支柱６４はロック状態とされる。
【００５０】
なお、トップフレーム６２に対して支柱６４をロック状態とした上で、台座５０からペーパーホルダー６０を取り出し、ペーパーホルダー６０からキッチンペーパーＰを引き出してもよい。また、トップフレーム６２に対して支柱６４をロック状態とすると共に、台座５０にペーパーホルダー６０を載置した上で、キッチンペーパーＰを引き出してもよい。また、ペーパーホルダー６０にロール状のキッチンペーパーＰをセットする場合は、トップフレーム６２に対して支柱６４のロック状態を解除して支柱６４を抜き取り、一対のサイドフレーム６３，６３間の隙間からロール状のキッチンペーパーＰをベースフレーム６１上にセットし、支柱６４をロール状のキッチンペーパーＰの中央の穴に挿入し、ロック状態とすればよい。
【００５１】
以上のように構成したことにより、まず、台座５０は、中空の一方の側板２２の内面部２２ｂに対向する側面の下部が、この側板２２の内面部２２ｂの外形に沿って内側に向けて後退しているので、下部の幅が上部に比べて広くされた側板２２の内面部２２ｂの下部との干渉を避けながら、台座５０の上部を前記側板２２の内面部２２ｂの上部に近接して引き出し２０内に設置することができる。したがって、この台座５０を用いることにより、引き出し２０の収納空間の有効幅を広くすることができる。
【００５２】
すなわち、図１４に示すように、ペーパーホルダー６０を引き出し２０の底板２１上に直接収納する場合には、仮想線で示すように、側板２２の内面部２２ｂの下部との干渉を避けてペーパーホルダー６０を収納することになるのに比べ、台座５０を使用すれば、引き出し２０の収納空間の有効幅を距離ｂだけ広くすることができるのである。
【００５３】
次に、台座５０は、一方の側板２２の上端に係合するフック部５２を有しているので、例えば、引き出し２０のスライド時に振動があっても、フック部なしで台座を引き出し２０の底板２１上に設置する場合に比べ、台座５０の設置位置が安定する。
【００５４】
また、台座５０は、上面の中央に凹陥部５１ｃが設けられていると共に、この凹陥部５１ｃの周囲が物品載置部５１ｄとされているので、物品載置部５１ｄを介してペーパーホルダー６０を載置しつつ凹陥部５１ｃに別なる物品を収納することができるようになる。
【００５５】
また、台座５０における上面の周辺部に立設された転倒防止片５１ｅ…５１ｅにより、載置されたペーパーホルダー６０の転倒が防止される。特に、細長い物品を載置する場合に効果的である。
【００５６】
そして、ロール状のキッチンペーパーＰを保持するペーパーホルダー６０が、台座５０を介して引き出し２０の側板２２に近接して収納されるようになる。
【００５７】
なお、本発明は、具体的に詳述した前記実施の形態に限定されない。
【００５８】
例えば、前記実施の形態では、フック部５２を介して台座５０を引き出し２０の側板２２に支持させていたが、引き出し２０内に設置したときに安定する台座であればフック部を省略してもよい。
【００５９】
また、前記実施の形態では、台座５０は中央に凹陥部５１ｃを有していたが、中実体の台座であってもよい。
【００６０】
そして、前記実施の形態では、台座５０にペーパーホルダー６０を載置したが、その他に、例えば、小型消火器のような自立可能な高さの高い物品を載置してもよい。
【産業上の利用可能性】
【００６１】
以上説明したように、本発明によれば、外面部と内面部とを有する中空とされ、その内面部の下部が内側方向に寄せられることにより下部の幅が上部に比べて広くされた側板を有するキッチンキャビネット用引き出しにおいて、この引き出しの収納空間の有効幅を広くすることができ、本発明は、家具の技術分野に広く利用される可能性がある。
【図面の簡単な説明】
【００６２】
【図１】本発明の実施の形態に係るシステムキッチンの斜視図である。
【図２】ワークトップの記載を省略したシンク用キャビネットの斜視図である。
【図３】幕板単体の斜視図である。
【図４】引き出しをキャビネット本体に押し込んだ状態における要部正面図である。
【図５】引き出しの側板に近接して設置された箱型容器を示す正面図である。
【図６】箱型容器の斜視図である。
【図７】引き出しの側板に近接して設置された台座、及び台座に載置されたペーパーホルダーの正面図である。
【図８】台座の平面図である。
【図９】図８のＩ−Ｉ線による断面図である。
【図１０】台座に載置されたペーパーホルダーの平面図である。
【図１１】図７のＩＩ−ＩＩ線による拡大断面図であり、引き出しの記載を省略している。
【図１２】図１０のＩＩＩ−ＩＩＩ線による断面図であり、台座の記載を省略している。
【図１３】ペーパーホルダーの支柱がロック解除状態にあることを示す平面図である。
【図１４】台座を用いたことによる作用を説明するための要部正面図である。
【符号の説明】
【００６３】
２        シンク用キャビネット（キッチンキャビネット）
１０      キャビネット本体
１０ａ    キャビネット本体側レール部材
２０      引き出し
２１      底板
２２      側板
２２ａ    外面部
２２ｂ    内面部
２２ｃ    引き出し側レール部材
２３      前板
５０      台座
５１ｃ    凹陥部
５１ｄ    物品載置部
５１ｅ    転倒防止片
６０      ペーパーホルダー
Ｐ        キッチンペーパー
【図１】
2010154991.tif 000003
【図２】
2010154991.tif 000004
【図３】
2010154991.tif 000005
【図４】
2010154991.tif 000006
【図５】
2010154991.tif 000007
【図６】
2010154991.tif 000008
【図７】
2010154991.tif 000009
【図８】
2010154991.tif 000010
【図９】
2010154991.tif 000011
【図１０】
2010154991.tif 000012
【図１１】
2010154991.tif 000013
【図１２】
2010154991.tif 000014
【図１３】
2010154991.tif 000015
【図１４】
2010154991.tif 000016